(57)【要約】【課題】インジケータのお知らせ状態を長く維持するとともに、インジケータの視認性を向上した吸収性物品を提供する。【解決手段】吸収体４より防漏シート６側に、水分又は体液との接触により呈色を示すインジケータ１２を配置するとともに、該インジケータ１２の少なくとも吸収体４がわ面の少なくとも一部を親水性樹脂１３で被覆する構成とするか、吸収体４より防漏シート６側に、インジケータ１２を配置するとともに、該インジケータ１２の少なくとも吸収体４がわ面の少なくとも一部にホットメルト接着剤１５を塗布する構成とする。【選択図】図１
2008099947.tif 000002
【特許請求の範囲】
【請求項１】
透液性の表面シートと不透液性の防漏シートとの間に吸収体が介在された吸収性物品において、
前記吸収体より前記防漏シート側に、水分又は体液との接触により呈色を示すインジケータが配置してあるとともに、該インジケータの少なくとも前記吸収体がわ面の少なくとも一部を親水性樹脂で被覆してあることを特徴とする吸収性物品。
【請求項２】
透液性の表面シートと不透液性の防漏シートとの間に吸収体が介在された吸収性物品において、
前記吸収体より前記防漏シート側に、水分又は体液との接触により呈色を示すインジケータが配置してあるとともに、該インジケータの少なくとも前記吸収体がわ面の少なくとも一部をホットメルト接着剤で被覆してあることを特徴とする吸収性物品。
【請求項３】
前記インジケータの防漏シートがわ面の少なくとも一部にもホットメルト接着剤を塗布してある請求項２記載の吸収性物品。
【請求項４】
前記インジケータは、前記吸収性物品構成部材に対し、水分又は体液との接触により呈色を示すインクを印刷してなる請求項１〜３いずれかに記載の吸収性物品。
【請求項５】
前記インジケータは、薄葉紙状素材に水分又は体液との接触により呈色を示すインジケータを配置したシート材を配設してなる請求項１〜３いずれかに記載の吸収性物品。
【請求項６】
前記インジケータの形成部分以外の部分に疎水化処理が施してある請求項１〜５いずれかに記載の吸収性物品。
【発明の詳細な説明】
【技術分野】
【０００１】
本発明は、尿や便などの排泄物、特に液体状の排泄物があったことを呈色によって外部から認識可能にするインジケータ、いわゆるお知らせ機能を有する使い捨て紙おむつや生理用ナプキン等の吸収性物品に関する。
【背景技術】
【０００２】
従来より、排尿や排便などの排泄、特に液体状の排泄があったときに、おむつをわざわざ取り外さなくても、この排泄物などと接触して変色することにより、排泄があったことを外部から認識可能にする種々のインジケータを備えた使い捨て紙おむつが知られている。
【０００３】
前記インジケータには、種々の形態のものが提案されている。例えば、下記特許文献１では、インジケータとして、親水性基材シートと、その内面に印刷された花柄と、その外面において少なくとも花柄を覆うように印刷され、おむつが乾燥状態にあるときには前記花柄が外から実質的に見えないように、それを隠蔽するマスキング部とによって構成され、前記マスキング部が、乾燥状態であると光を散乱して白色ないし乳白色を呈し、該マスキング部を通しての花柄の視認を困難にし、尿に濡れたときには、その散乱が減少して透明になることにより、該マスキング部を通しての花柄の視認が可能になるという使い捨ておむつが記載されている。
【特許文献１】特開平９−１４０７４２号公報
【発明の開示】
【発明が解決しようとする課題】
【０００４】
しかしながら、前記特許文献１記載の使い捨ておむつでは、マスキング部が尿に濡れることによって、素材自体の光の散乱が減少して透明になり、花柄を透視可能にする構成であるため、マスキング部の水分が吸収体へ逆戻りしたり、又は長い間放置してマスキング部が再度乾燥したりするなどして、マスキング部が白色ないし乳白色に戻り、花柄の透視が不可能となる問題があった。
【０００５】
一方近年では、前記インジケータとして、排尿や排便などの排泄、特に液体状の排泄があったときに、この水分や排泄物の成分、水分により溶出する紙おむつに付加した成分などによって呈色する色素を印刷等の手段で形成したインジケータを備える使い捨て紙おむつが提案されている。
【０００６】
しかしながら、かかるおむつにおいても、前述と同様に、水分の吸収体への逆戻り又は長い間放置しておくことにより、色素が拡散してしまったり、乾燥してしまったりして、インジケータの呈色状態が維持されず、退色してしまう問題があった。さらに、排泄があったときに、この排泄物が吸収体を均等に拡散してしまい、インジケータとの接触領域が限定されて一定の領域しか呈色せず、視認しにくいという問題があった。また、多湿環境下におくと排泄なしでも湿気によりインジケータ機能が働き、呈色することがあった。
【０００７】
そこで本発明の主たる課題は、インジケータのお知らせ状態を長く維持するとともに、インジケータの視認性を向上した吸収性物品を提供することにある。
【課題を解決するための手段】
【０００８】
前記課題を解決するために請求項１に係る本発明として、透液性の表面シートと不透液性の防漏シートとの間に吸収体が介在された吸収性物品において、
前記吸収体より前記防漏シート側に、水分又は体液との接触により呈色を示すインジケータが配置してあるとともに、該インジケータの少なくとも前記吸収体がわ面の少なくとも一部を親水性樹脂で被覆してあることを特徴とする吸収性物品が提供される。
【０００９】
上記請求項１記載の本発明は、インジケータの第１形態例を示したものであり、吸収体より前記防漏シートがわ面に、水分又は体液との接触により呈色を示すインジケータが配置してあるとともに、該インジケータの前記吸収体がわ面の少なくとも一部を親水性樹脂で被覆することにより、前記親水性樹脂に染み込んだ体液とインジケータとの接触が直接的に行われ易くなり、インジケータの呈色が促進される。さらに、一度インジケータと接触した体液は、前記親水性樹脂が介在することにより吸収体への逆戻り又は乾燥が抑制され、インジケータとの接触状態が長く維持されてインジケータの呈色状態が持続するようになる。
【００１０】
請求項２に係る本発明として、透液性の表面シートと不透液性の防漏シートとの間に吸収体が介在された吸収性物品において、
前記吸収体より前記防漏シート側に、水分又は体液との接触により呈色を示すインジケータが配置してあるとともに、該インジケータの少なくとも前記吸収体がわ面の少なくとも一部をホットメルト接着剤で被覆してあることを特徴とする吸収性物品が提供される。
【００１１】
上記請求項２記載の本発明は、インジケータの第２形態例を示したものであり、吸収体より前記防漏シート側に、水分又は体液との接触により呈色を示すインジケータが配置してあるとともに、該インジケータの少なくとも前記吸収体がわ面の少なくとも一部をホットメルト接着剤で被覆することにより、インジケータを構成する色素が、基材となるシート材に定着し易くなり、色素の分散が抑制できるとともに、一度インジケータと接触した体液が吸収体に逆戻りするのが抑制でき、体液とインジケータとの接触状態が維持されることによってインジケータの呈色状態が持続するようになる。
【００１２】
請求項３に係る本発明として、前記インジケータの防漏シートがわ面の少なくとも一部にもホットメルト接着剤を塗布してある請求項２記載の吸収性物品が提供される。
【００１３】
上記請求項３記載の本発明は、インジケータの第３形態例を示したものであり、前記インジケータの防漏シートがわ面の少なくとも一部にそれぞれホットメルト接着剤を塗布することにより、特にインジケータの防漏シートがわ面（下面）に塗布されたホットメルト接着剤が、インジケータを構成するインクを基材シートに定着させてインクの分散を抑えることができる。
【００１４】
請求項４に係る本発明として、前記インジケータは、前記吸収性物品構成部材に対し、水分又は体液との接触により呈色を示すインクを印刷してなる請求項１〜３いずれかに記載の吸収性物品が提供される。
【００１５】
請求項５に係る本発明として、前記インジケータは、薄葉紙状素材に水分又は体液との接触により呈色を示すインジケータを配置したシート材を配設してなる請求項１〜３いずれかに記載の吸収性物品が提供される。
【００１６】
上記請求項４、５記載の本発明は、インジケータの形成態様を具体的に示したものである。
【００１７】
請求項６に係る本発明として、前記インジケータの形成部分以外の部分に疎水化処理が施してある請求項１〜５いずれかに記載の吸収性物品が提供される。
【００１８】
上記請求項６記載の本発明は、インジケータの形成部分以外の部分に疎水化処理を施すことにより、平面方向への体液の拡散が抑制されるため、色素はインジケータの形成部分に溜まり易く、かつインジケータの形成部分においてはインジケータに沿って体液が拡散し易くなり、広範囲のインジケータが呈色を起こすことによりインジケータの視認性が向上するようになる。
【発明の効果】
【００１９】
以上詳説のとおり本発明によれば、インジケータのお知らせ状態を長く維持するとともに、インジケータの視認性を向上することが可能となる。
【発明を実施するための最良の形態】
【００２０】
以下、本発明の実施の形態について図面を参照しながら詳述する。
図１は本発明に係る使い捨て紙おむつの一部破断展開図、図２は横断面図である。
【００２１】
〔使い捨ておむつ構造〕
図１において、使い捨ておむつ１は、綿状パルプ等からなり、たとえば砂時計形状（または長方形状等）のある程度の剛性を有するとともに、クレープ紙、親水性不織布等のコアラップシート５によって囲繞された吸収体４と、該吸収体４の表面側（使用面側）を覆うように配設された有孔または無孔の不織布や孔開きプラスチックシート等からなる透液性トップシート３と、前記吸収体の裏面側に配設され、少なくとも吸収体４の全面積を覆うように配設されたポリエチレン等からなる防漏シート６と、この防漏シート６の外面側（非肌当接面側）に設けられた不織布からなるとともに、おむつ外形を画成する外面バックシート２と、紙おむつの両側部に表面側に起立する立体ギャザーＢＳを形成するとともに、おむつ両側部では前記防漏シート６及びバックシート２と共にサイドフラップ部ＳＦを構成するためのサイド不織布７、７と、おむつ背側両側部に設けられた機械接合式のファスニングテープ１０，１０と、前記吸収体４より防漏シート６がわ面の所定領域に配置されるとともに、水分によって呈色を示すインクからなるインジケータ１２とから主に構成されている。また、紙おむつの腹部ウエスト部および背側ウエスト部では、前記外面バックシート２、防漏シート６および透液性トップシート３が共に延在し、吸収体４の存在しないエンドフラップ部ＥＦが形成されている。
【００２２】
装着に当たっては、図３に示されるように、紙おむつ１の前身頃および後身頃をそれぞれ着用者の身体に当てがった後、前記ファスニングテープ１０，１０を腹側に持ち込み、外面バックシート２の表面に直接的に係合させて紙おむつを装着する。
【００２３】
以下、更に各構成について具体的に詳述すると、
前記吸収体４は、たとえばフラッフ状パルプと吸水性ポリマーとにより構成され、図示例では脚回りへの当たりを和らげるために両側部に夫々括れ部を有する略砂時計状とされる。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。図示例のように、吸収体４をコアラップシート５で囲繞する場合には、結果的に透液性表面シート３と吸収体４との間にコアラップシート５が介在することになり、吸収性に優れる前記コアラップシート５によって体液を速やかに拡散させるとともに、これら体液の逆戻りを防止するようになる。
【００２４】
前記透液性トップシート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、エアスルー法、メルトブローン法、ニードルパンチ法等の適宜の加工法によって得られた不織布を用いることができる。これらの加工法の内、スパンレース法は柔軟性、スパンボンド法はドレープ性に富む点で優れ、サーマルボンド法及びエアスルー法は嵩高でソフトである点で優れている。透液性トップシート３に多数の透孔を形成した場合には、体液が速やかに吸収されるようになり、ドライタッチ性に優れたものとなる。
【００２５】
前記防漏シート６は、ポリエチレンやポリプロピレン等のオレフィン系樹脂シートなどの少なくとも遮水性を有するシート材が用いられ、漏れを防止するために少なくとも吸収体４の全面積を覆う範囲に設置される。近年は、ムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートであり、仮にシート厚が同じであれば無孔シートよりも剛性が低下するため、柔軟性の点で勝るものとなる。かかる防漏シート６としては、内面側に配置するインジケータ１２が外部から目視可能なように、透明又は半透明のものを用いるのが望ましい。半透明化する場合は、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。また、前記防漏シート６は、インジケータ１２を構成するインクの定着のし易さという観点から多孔質に形成することが望ましい。
【００２６】
前記サイド不織布７としては、重要視する機能の点から撥水処理不織布または親水処理不織布を使用することができる。たとえば、体液が浸透するのを防止する、あるいは肌触り感を高めるなどの機能を重視するならば、シリコン系、パラフィン系、アルキルクロミッククロリド系撥水剤などをコーティングした撥水処理不織布を用いることが望ましい。また、体液等の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにすることが望ましい。
【００２７】
前記透液性トップシート３は、吸収体４側縁よりも若干外方に突出し、前記防漏シート６と接合されている。前記サイド不織布７は、前記吸収体４の側縁部近傍よりも外側部分が外縁まで延び、前記防漏シート６及び外面バックシート２と接合され、この積層シート部分によってサイドフラップＳＦを構成している。
【００２８】
このサイドフラップ部ＳＦにおいては、紙おむつ長手方向に複数本、図示の例では２本の弾性伸縮部材８，８が配設され、平面ギャザーが形成されている。この平面ギャザーは、着用した際に紙おむつをきっちりと脚周りにて保持することにより、フィット性を向上させ紙おむつがずれるのを防止する。
【００２９】
他方、前記サイド不織布７の前記固着部よりも内方側の不織布シート部分によって表面側に起立する立体ギャザーＢＳが形成されている。この立体ギャザーＢＳは、吸収体４の側縁近傍位置に起立端を有し、その先端が紙おむつ長手方向に沿って二重に折り返され、この折り返し部の内方に１本の弾性伸縮部材９を、または必要により複数本の弾性伸縮部材を配設することにより、その伸縮力を利用して立体ギャザーＢＳを起立させるようになっている。
【００３０】
前記弾性伸縮部材８，９としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。
【００３１】
前記サイド不織布７を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンボンド法、エアスルー法、メルトブローン法、ニードルパンチ法等の適宜の加工方法に得られた不織布を用いることができるが、特にサイドフラップ部ＳＦを構成する前記サイド不織布７は、ゴワ付き感を無くすとともに、ムレを防止するために、坪量を抑えて通気性に優れた不織布を用いるのがよい。
【００３２】
前記機械接合式のファスニングテープ１０は、プラスチック、ポリラミ不織布、不織布、紙等のファスニング基材１０Ａの基部がおむつに接合されている。前記ファスニング基材１０Ａの突出片部分でかつ表面側（透液性トップシート３側の面）にフック要素１０Ｂを有する。前記フック要素１０Ｂは、ファスニング基材１０Ａに接着剤により剥離不能に接着されている。前記フック要素１０Ｂは、その外面に多数の係合片１０ｂ、１０ｂ…を有する。係合片１０ｂの形状としては、例えばレ字状、Ｊ字状、マッシュルーム状、Ｔ字状等のものが存在するが、いずれの形状であってもよい。好ましいのはＴ字状のものである。前記ファスニングテープ１０は製品状態では、透液性トップシート３側に折り畳まれ、前記フック要素１０Ｂがサイド不織布７に対して剥離可能に接合された状態となっている。
【００３３】
前記外面バックシート２としては不織布が用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、エアスルー法、スパンレース法、スパンボンド法、サーマルボンド法、メルトブローン法、ニードルパンチ法等の適宜の加工法によって得られた不織布を用いることができる。これらの不織布の中でも、不織布製造時にドラム搬送過程で加熱空気を送り繊維同士を熱融着させるエアスルー法により製造された不織布が好適に用いられる。前記エアスルー法は、高温空気の熱によって繊維同士を融着させるため、空間割合が高くふんわりとした感触と、嵩高であるなどの利点を有し、前記ファスニングテープ１０の係合力を向上させることができる。なお、図示例のように、ファスニングテープ１０の係合領域として想定される所定範囲１１に対して、起毛処理を施したり、各種エンボスパターンでエンボスを付与したりすることができる。また、これら起毛処理やエンボスを施した別部材を固着しても良い。
【００３４】
（インジケータ１２の第１形態例）
次に前記インジケータ１２について詳述する。本発明の第１形態例に係るインジケータ１２は、図２に示されるように、吸収体４より防漏シート６側に、すなわちコアラップシート５の内外面又は防漏シート６の内面に、図示例では防漏シート６の内面に、水分又は体液との接触により呈色を示すインジケータ１２、１２…が配置してあるとともに、該インジケータ１２の少なくとも吸収体４がわ面の少なくとも実質的にインジケータ１２の配置領域を含む一部、好ましくは全面を親水性樹脂１３で被覆して形成している。前記インジケータ１２は、紙おむつ１の構成部材に対し、水分又は体液との接触により呈色を示すインクを印刷してなるもの又は薄葉紙状素材に水分又は体液との接触により呈色を示すインクを印刷したシート材を配設してなるものとすることができる。
【００３５】
前記親水性樹脂１３の樹脂としては、親和性を有するポリビニルアルコール、ポリエチレングリコール、カルボキシメチルセルロース、又は澱粉などを好適に用いることができ、液状のものを塗布しても良いし、フィルム状のもので被覆しても良い。前記親水性樹脂１３は、塗布後に柔軟な被膜を作るものが望ましい。また、フィルム状のもので被覆する場合においても、柔軟なフィルムを形成する樹脂が望ましい。この親水性樹脂１３で前記インジケータ１２を被覆することにより、親水性樹脂１３に染み込んだ体液とインジケータ１２とが直接的に接触し、インジケータ１２の呈色が促進される。さらに、一度インジケータ１２と接触した体液は、前記親水性樹脂１３によって吸収体４への逆戻りが抑制されるとともに、長時間放置しても乾燥しにくくなり、インジケータ１２との接触状態が長く維持されてインジケータ１２の呈色状態が長く維持されるようになる。
【００３６】
前記インジケータ１２を構成するインクとしては、有機溶媒中に水溶性の顔料又は染料を分散させたインク又は水溶性、水分解性染料又はロイコ染料と該ロイコ染料を発色させるフェノール性化合物、酸性物質、電子受容性物質等の顕色剤とからなるインクを使用することが好ましい。本発明では、体液の水分に可溶な色素を溶解、すなわち発色させないように、ベンゼン、トルエン、キシレン、ヘキサン、オクタン、シクロヘキサン、シクロヘキサノン等の溶剤成分に分散させ、バインダー成分を付加してなるタイプのインジケータ用インクを用いる場合において、特に優れた効果を発揮する。水分または体液との接触以前ではインク成分が凝集状態であり、印刷した文字、絵柄は不鮮明である。水分または体液との接触により凝集状態であったインク成分が溶解、分散することで印刷した文字、絵柄が発色、濃色化または変色して、鮮明となり良好な排尿インジケータとして機能する。すなわち、水分に溶解して発色した色素が時間とともに周囲の体液中に分散し、発色の鮮明さが損なわれるのを防ぐことができる。前記インクは、任意の色に着色したり、呈色させたりすることができるが、乾燥状態においては、インジケータ１２を外観上目立たなくするため、無色にすることが好ましい。
【００３７】
なお、変色するインジケータとする場合は、凝集状態にあるインクと異なる色調のインク成分を予め混合しておく。水分または体液との接触により凝集状態のインクが溶解し、もう一方のインク成分と相溶することで異なる色調へ変化する構成とすることができる。
【００３８】
前記インジケータ１２は、吸収体４に吸収された排泄物による呈色が効率よく行われる領域に配置するようにする。具体的には、図１乃至図３に示されるように、前記吸収体４より防漏シート６側のコアラップシート５又は防漏シート６の内面に、面状、帯状又は多数の筋状に、図示例では３本の帯状に配置している。また、前記インジケータ１２は、排泄物の水分と接触した際、該インジケータ１２を構成する色素が排泄物の水分中に溶出する。したがって、インクが溶解した水分が吸収体４に吸収され、インジケータ１２の呈色が低下することを防止するため、インジケータ１２を構成する色素と吸収体４との直接の接触を避けるようにすることが好ましい。また、インジケータ１２としてインクを使用する場合には、インクの定着性を向上するため、印刷する素材は多孔質であることが好ましい。
【００３９】
また、図４に示されるように、前記インジケータ１２の形成部分以外の部分に、疎水化処理１４を施すことが好ましい。前記インジケータ１２の形成部分以外の部分とは、図４に示される例では、インジケータ１２が塗布された防漏シート６の内面の少なくとも吸収体４を覆う領域であって、インジケータ１２の形成部分以外の部分を指す。前記疎水化処理１４により、平面方向への体液の拡散が抑制されるため、色素はインジケータ１２の形成部分に留まり易く、かつインジケータ１２の形成部分においてはインジケータ１２に沿って浸透又は拡散されるようになり、前記インジケータ１２が広範囲に亘って呈色を示し、インジケータ１２の視認性が向上できるようになる。インジケータ１２を形成するシートに隣接するシートに疎水化処理を施すことで、上記体液の拡散防止による色素の拡散防止効果はさらに高くなる。インジケータ１２がコアラップシート５に隣接する場合は、コアラップシート５を上層と下層に分け、下層のみ疎水化処理を施せばよい。
【００４０】
（インジケータ１２の第２形態例）
本発明の第２形態例に係るインジケータ１２は、図５に示されるように、吸収体４より防漏シート６側に、すなわちコアラップシート５の内外面又は防漏シート６の内面に、図示例ではコアラップシート５の内面に、水分又は体液との接触により呈色を示すインジケータ１２、１２…が配置してあるとともに、該インジケータ１２の吸収体４がわ面の少なくとも一部をホットメルト接着剤１５により被覆して形成している。
【００４１】
前記ホットメルト接着剤１５は、図６に示されるように、体液のインジケータ１２への浸透を阻害しないようインジケータ１２に沿って間欠的に、例えば微細な孔を有する膜状、螺旋状（図示例）、波状、点状又は点線状など種々の形態で塗布される。前記ホットメルト接着剤１５は、０．５〜６g/m2の塗布量で塗布することが好ましい。
【００４２】
上記ホットメルト接着剤１５は、前記インジケータ１２を構成するインクが基材となるシート材に定着し易くなり、インクの分散が抑制できるとともに、一度インジケータ１２と接触した体液が吸収体４へ逆戻りしたり、乾燥したりするのを抑制して、体液とインジケータ１２との接触状態が維持されることによってインジケータ１２の呈色状態を長く維持できるようになる。なお、その他インジケータ１２の構成等については、前記第１形態例と同様である。
【００４３】
（インジケータ１２の第３形態例）
本発明の第３形態例に係るインジケータ１２は、図７に示されるように、吸収体４より防漏シート６側、すなわちコアラップシート５の内外面又は防漏シート６の内面に、図示例ではコアラップシート５の内面側に、水分又は体液との接触により呈色を示すインジケータ１２、１２…が配置してあるとともに、該インジケータ１２の吸収体４がわ面の少なくとも一部をホットメルト接着剤１５により被覆し、かつ前記インジケータ１２の防漏シート６側の面の少なくとも一部にそれぞれホットメルト接着剤１６を塗布して構成されている。
【００４４】
インジケータ１２の防漏シート６側の面（下面）に塗布されるホットメルト接着剤１６は、インジケータ１２を構成するインクを基材となる防漏シート６に定着させインクの分散を抑えるためのものであり、任意の形態で塗布することができる。なお、その他インジケータ１２、ホットメルト接着剤の構成等については、前記第１及び第２形態例と同様である。
【００４５】
〔他の形態例〕
(1)上記形態例では、テープ式使い捨て紙おむつを例に採り本発明を説明したが、パンツ式使い捨て紙おむつに対しても同様に適用することができる。更には、使い捨て紙おむつの他、尿パッド、生理用ナプキンを含む吸収性物品全般に対しても同様に適用することができる。
(2)上記第１形態例では、親水性樹脂１３をインジケータ１２と同幅で被覆するようにしたが、親水性樹脂１３はインジケータ１２よりも幅広で被覆するようにしてもよい。また、第２形態例及び第３形態例でも、ホットメルト接着剤１５（１６）をインジケータ１２と同幅で被覆するようにしたが、インジケータ１２よりも幅広で被覆するようにしてもよい。
(3)上記第２、第３形態例において、前記ホットメルト接着剤１５として、親水性を有するホットメルト接着剤を用いることも可能である。この場合は、親水性樹脂１３と同様に、インジケータ１２の全面を被覆することが可能である。
(4)上記形態例では、水分により呈色を示すインジケータ１２として、インクを使用していたが、着色剤を含有したホットメルト接着剤により構成されるようにしてもよいし、着色剤を他の接着剤に含有されるようにするなどして前記インジケータ１２を形成するようにしてもよい。
【図面の簡単な説明】
【００４６】
【図１】本発明に係る使い捨て紙おむつ１の一部破断展開図である。
【図２】図１のII−II線矢視図である。
【図３】使い捨て紙おむつ１の装着状態を示す斜視図である。
【図４】疎水化処理１４を施した場合の図１のII−II線矢視図である。
【図５】インジケータ１２の第２形態例に係るおむつ横断面図である。
【図６】図５のVI−VI線矢視図である。
【図７】インジケータ１２の第３形態例に係るおむつ横断面図である。
【符号の説明】
【００４７】
１…使い捨ておむつ、、２…外面バックシート、３…透液性トップシート、４…吸収体、５…コアラップシート、６…防漏シート、７…サイド不織布、８・９…弾性伸縮部材、１０…ファスニングテープ、１１…係合範囲、１２…インジケータ、１３…親水性樹脂、１４…疎水化処理、１５・１６…ホットメルト接着剤
【図１】
2008099947.tif 000003
【図２】
2008099947.tif 000004
【図３】
2008099947.tif 000005
【図４】
2008099947.tif 000006
【図５】
2008099947.tif 000007
【図６】
2008099947.tif 000008
【図７】
2008099947.tif 000009